(57)【要約】【課題】背もたれ部材を前側に倒して座席部材側に折り畳んでコンパクトにできるようにする。【解決手段】座席部材２を支持するフレーム３に回転軸１６が回動可能に支持され、この回転軸１６に背もたれ部材４が固定されると共に回動アーム１７が連結されており、この回動アーム１７の座席部材２に対しての角度を変える角度変更手段１８が設けられ、回転軸１６と回動アーム１７との間に、両者を一体回動させる態様と、相対回動可能とさせる態様とを択一的にとらせる係脱手段１９が設けられている点にある。【選択図】      図１
2004357948.tif 000002
【特許請求の範囲】
【請求項１】
座席部材（２）を支持する支持フレーム（３）に回転軸（１６）が回動可能に支持され、この回転軸（１６）に背もたれ部材（４）が固定されると共に回動アーム（１７）が連結されており、この回動アーム（１７）の座席部材（２）に対しての角度を変える角度変更手段（１８）が設けられ、回転軸（１６）と回動アーム（１７）との間に、両者を一体回動させる態様と、相対回動可能とさせる態様とを択一的にとらせる係脱手段（１９）が設けられていることを特徴とする椅子式マッサージ装置のリクライニング機構。
【請求項２】
前記係脱手段（１９）は、回転軸（１６）に固定したロック部材（２０）と、一端が回動アーム（１７）に枢支される共に他端がロック部材（２０）に係脱自在に係合する係合部材（２８）とを有していることを特徴とする請求項１に記載の椅子式マッサージ装置のリクライニング機構。
【請求項３】
前記係脱手段（１９）は、回転軸（１６）に設けられた係合孔（５５）と、回動アーム（１７）に移動自在に支持されると共に係合孔（５５）に係合する係合ピン（４９）とを有していることを特徴とする請求項１に記載の椅子式マッサージ装置のリクライニング機構。
【請求項４】
座席部材（２）の左右両側に肘掛フレーム（１３）が設けられ、座席部材（２）の後方に背もたれ部材（４）が設けられており、前記肘掛フレーム（１３）内に角度変更手段（１８）と係脱手段（１９）とが設けられ、背もたれ部材（４）の内に人体の患部をマッサージするマッサージ機構（６）が設けられていることを特徴とする請求項１〜３のいずれかに記載の椅子式マッサージ装置のリクライニング機構。
【請求項５】
前記係脱手段（１９）を操作する係脱操作手段の係脱操作部（３２）が前記肘掛フレーム（１３）の外側部に設けられていることを特徴とする請求項４に記載の椅子式マッサージ装置のリクライニング機構。
【請求項６】
前記角度変更手段（１８）を操作する角度操作手段の角度操作部（４２）が、係脱操作部（３２）の近傍に設けられていることを特徴とする請求項５に記載のマッサージチェアのリクライニング機構。
【発明の詳細な説明】
【０００１】
【発明の属する技術分野】
本発明は、椅子式マッサージ装置のリクライニング機構に関するものである。
【０００２】
【従来の技術】
従来、リクライニング機構を備えた椅子式マッサージ装置として、例えば、特開平５−２６１０１４に開示されているものがある。
この椅子式マッサージ装置のリクライニング機構は、背もたれ部材の下方に回転軸を設け、この回転軸に回動アーム（リンク）固定し、この回動アームを伸縮部材の伸縮によって前後方向に揺動させることにより、背もたれ部材をリクライニングするようにしている。即ち、このリクライニング機構では、伸縮部材を伸ばすことにより背もたれ部材を前方に起き上がらせると共に伸縮部材を短くすることによって背もたれ部材を後方に倒すようになっている。
【０００３】
【特許文献１】
特開平５−２６１０１４号公報
【０００４】
【発明が解決しようとする課題】
しかしながら、このようなマッサージ装置のリクライニング機構では、背もたれ部材を前側に倒して座席部材側に折り畳んでコンパクトにすることができないという問題があった。
そこで、本発明は、上記問題点に鑑み、背もたれ部材を前側に倒して座席部材側に折り畳んでコンパクトにすることが可能な椅子式マッサージ装置のリクライニング機構を提供することを目的とする。
【０００５】
【課題を解決するための手段】
本発明における技術的課題を解決するための第１の具体的手段は、座席部材を支持する支持フレームに回転軸が回動可能に支持され、この回転軸に背もたれ部材が固定されると共に回動アームが連結されており、この回動アームの座席部材に対しての角度を変える角度変更手段が設けられ、回転軸と回動アームとの間に、両者を一体回動させる態様と、相対回動させる態様とを択一的にとらせる係脱手段が設けられている点にある。
【０００６】
これによれば、係脱手段により回転軸と回動アームとを一体回転させる態様にすることで背もたれ部材を角度変更手段でリクライニングすることができると共に、両者を相対回転可能な態様にすることにより、背もたれ部材を座席部材側に倒して折り畳むことができる。また、座席部材に対する回動アームの角度を角度変更手段によって維持した状態で、両者を相対回転可能な状態から一体回転させる状態に戻すことができる。したがって、背もたれ部材を座席部材側に倒して折り畳んだ状態から元の状態（相対回動可能にする前の状態）に背もたれ部材を戻すことができる。
【０００７】
また、本発明における技術的課題を解決するための第２の具体的手段は、前記係脱手段は、回転軸に固定したロック部材と、一端が回動アームに枢支される共に他端がロック部材に係脱自在に係合する係合部材とを有している点にある。
これによれば、ロック部材に係合部材を係合することによって、回転軸と回動アームとを一体回転させることができ、ロック部材と係合部材との係合を解除することによって回転軸と回動アームとを相対回転可能にすることができる。
また、本発明における技術的課題を解決するための第３の具体的手段は、前記係脱手段は、回転軸に設けられた係合孔と、回動アームに移動自在に支持されると共に係合孔に係合する係合ピンを有している点にある。
【０００８】
これによれば、係合ピンを移動させて、係合孔に係合ピンを係合することによって回転軸と回動アームとを一体回転させることができ、係合ピンを移動させて、係合孔と係合ピンとの係合を解除することによって    回転軸と回動アームとを相対回転可能にすることができる。
また、本発明における技術的課題を解決するための第４の具体的手段は、座席部材の左右両側に肘掛フレームが設けられ、座席部材の後方に背もたれ部材が設けられており、前記肘掛フレーム内に角度変更手段と係脱手段とが設けられ、背もたれ部材の内に人体の患部をマッサージするマッサージ機構が設けられている点にある。
【０００９】
これによれば、マッサージ機構によって人体の患部（背中）をマッサージすることができる。
また、本発明における技術的課題を解決するための第５の具体的手段は、前記係脱手段を操作する係脱操作手段の係脱操作部が前記肘掛フレームの外側部に設けられている点にある。
これによれば、係脱操作部の操作により、係脱手段を操作することができる。
また、本発明における技術的課題を解決するための第６の具体的手段は、前記角度変更手段を操作する角度操作手段の角度操作部が、係脱操作部の近傍に設けられている点にある。
【００１０】
これによれば、使用者が座った状態で、角度操作部を操作できるとともに係脱操作部を操作することができる。
【００１１】
【発明の実施の形態】
以下、本発明の実施の形態を図面に基づいて説明する。
図１〜７は、椅子式マッサージ装置のリクライニング機構の第１の実施の形態を示している。図１〜２に示すように、この椅子式マッサージ装置１は、座席部材２と、この座席部材２を支持する左右一対の支持フレーム３と、座席部材２の後方側で左右一対の支持フレーム３に支持された背もたれ部材４と、座席部材２に対して背もたれ部材３の角度を調整可能なリクライニング機構５と、人体の患部をマッサージ可能なマッサージ機構６とを備えている。
【００１２】
なお、実施の形態において、前後方向、左右方向（幅方向）、上下方向の各方向は、座席部材２に使用者が座った場合に、使用者から見た方向を示している。
座席部材２は、マッサージ装置１を使用する使用者等が座ることができるように平面視略矩形状に構成されたもので、例えば、立体的に組み立てられたフレームにクッション性のあるクッション材を覆うことによって、使用者が快適に座れるように構成されている。
背もたれ部材４は、マッサージ装置１を使用する使用者が凭れかかれるように平面視略矩形状に構成されたもので、例えば、座席部材２と同様に、立体的に組み立てられたフレームにクッション性のあるクッション材を覆うことによって、使用者が快適に凭れかかれるように構成されている。
【００１３】
背もたれ部材４の内部には、人体の背中をマッサージするマッサージ機構６が設けられており、このマッサージ機構６は、左右一対のマッサージ体７をレールによって上下方向移動自在とし、マッサージ体７に設けられた上下一対の押圧部８を左右方向及び前後方向に揺動させるように構成されている。
座席部材２を支持する支持フレーム３は、金属製板材、又は樹脂などを屈曲させて形成したものであり、支持フレーム３の前後端部が座席部材２の前後端部側で床面Ｆ側に突出するように、中途部から湾曲した側面視略への字状の二股となっており、この支持フレーム３の前後端部は、床面Ｆに載置される前後脚部１０とされている。
【００１４】
そして、支持フレーム３の上下部を支持する前後支持片１４Ｆ、１４Ｒに、座席部材３の左右側部のフレームを固定具１５を介して固定することによって、座席部材３は支持フレーム３に支持されている。
したがって、椅子式マッサージ装置１を平坦な床面Ｆに載置したとき、座席部材３の上側座席部１１が床面Ｆと略水平なると共に、座席部材３が床面Ｆから上方に浮き上がるようになっている。
また、この支持フレーム３は、座席部材２の上側座席部１１よりも上方に突出するように形成されて、上側座席部１１よりも上方に突出した支持フレーム３の上端縁部は湾曲されており、その上側突出部は肘掛部１２とされている。したがって、この支持フレーム３は、座席部材２を支持すると共に、肘掛が可能な肘掛フレーム１３とされ、この肘掛フレーム１３（支持フレーム３）の全体は、クッション材等で覆われている。
【００１５】
この支持フレーム３の一方の内部には、図１、３〜７に示すように、背もたれ部材４が固定される左右一対の回転軸１６うち１つの回転軸１６と、この回転軸１６に連結された回動アーム１７と、この回動アーム１７の座席部材２に対しての角度を変える角度変更手段１８と、回転軸１６と回動アーム１７との間に、両者（回転軸１６と回動アーム１７）を一体回動させる態様と、相対回動可能とさせる態様とを択一的にとらせる係脱手段１９とが設けられており、これら回転軸１６、回動アーム１７、角度変更手段１８、係脱手段１９によりリクライニング機構５が構成されている。
【００１６】
角度変更手段１８は、回動アーム１７の下端部を前後方向に移動させると共に、任意の位置で回動アーム１７の下端部の移動をロック可能なものであり、肘掛フレーム１３の内部に設けられている。この角度変更手段１８は、例えば、伸縮する伸縮部材３４であり、この伸縮部材３４はガスダンパー式のシリンダとされている。この伸縮部材３４は、内部に緩衝流体が充填され且つその後端部が回動アーム１７の下端部に連結されたシリンダチューブ３５と、このシリンダチューブ３５に対して出没可能なシリンダロッド３６と、このシリンダロッド３６に挿通されてその一端がシリンダロッド３６の前端部から突出したバルブロッド３７とを有している。
【００１７】
このシリンダロッド３６の後端部には、シリンダチューブ３５内に内装されて摺動自在に配置されているピストン（図示略）が設けられており、このピストンには開閉弁が設けられている。バルブロッド３７は、ピストンに設けられた開閉弁を開閉するもので、シリンダロッド３６から突出しているバルブロッド３７をシリンダロッド３６内に押し込むことで開閉弁を開いて、これにより、シリンダチューブ３５に対してシリンダロッド３６を伸縮できるようにしている。
また、シリンダロッド３６からバルブロッド３７を突出させることで開閉弁を閉じて、これにより、シリンダチューブ３５に対してシリンダロッド３６を伸縮できないようにして、伸縮部材３４を伸縮できないようにロックするようにしている。
【００１８】
このシリンダロッド３６の前端部に設けた取付具３８は、支持フレーム３の上下を前側で支持する前側支持片１４Ｆに枢支されている。取付具３８には、前後方向に揺動自在に連結された可動片４０が設けられており、この可動片４０は、前後方向に揺動して、バルブロッド３７をシリンダロッド３６内に押し込んだり、突出させるものである。
可動片４０は、ボーデンワイヤ４１を介してリクライニングレバー４２に連結されており、このリクライニングレバー４２を引き上げることによって、ボーデンワイヤ４１のインナーケーブル４１ａが引っ張られて可動片４０を後方側に揺動させ、これにより、バルブロッド３７の押し込み且つ開放弁を開放できるようになっている。
【００１９】
したがって、ボーデンワイヤ４１、可動片４０、リクライニングレバー４２とにより角度変更手段１８を操作する角度操作手段が構成されている。
このリクライニングレバー４２は、肘掛フレーム１３の下方に設けられており、座席部材２の左右方向中央部に位置しており、後述する係脱手段１９を操作する操作レバー３２の近傍に設けられて、使用者が座席部材３に座った状態でも操作し易いようになっている。
各回転軸１６は、各支持フレーム３の上下を後方側で支持する後方支持片１４Ｒの上部に回動可能に嵌合されている。回転軸１６の先端部は、断面視小判形状であり、回転軸１６の回転に伴って背もたれ部材４が前後方向に揺動するように、即ち、回転軸１６の回転により背もたれ部材４の座席部材２に対する角度が自在に変化できるように、背もたれ部材４と一体回動自在に連結されている。
【００２０】
したがって、背もたれ部材４を、背もたれ部材４が座席部材２と干渉して回転軸１６が回転不能となる位置まで前方に倒すことができると共に、背もたれ部材４が床面Ｆと干渉して回転軸１６が回転不能となる位置まで後方に倒すことができるようになっている。
この回転軸１６の軸心廻りには、回転軸１６に固定されたロック部材２０が設けられている。このロック部材２０の一端部は、回転軸１６と共回りするように連結されており、ロック部材２０の他端部は自由端となっており、ロックピン２１が設けられている。即ち、このロック部材２０は、図４に示すように、左右側壁部２２と、その左右側壁部２２を連結する連結部２３とを有しており、この左右側壁部２２の上端部に設けられた筒部２４を回転軸１６に挿通し、その筒部２４を固定具２５で回転軸１６に固定することによって、左右方向移動不能に回転軸１６に固定されている。
【００２１】
回動アーム１７は、図４に示すように、左右側壁部２６とその左右側壁部２６を連結する連結部２７とを有している。この左右側壁部２６の上端部は、回転軸１６に遊嵌されている。また、この左右側壁部２６の上端部は、ロック部材２０の左右側壁部２２に当接しており、このロック部材２０によって左右方向の移動が規制されている。
したがって、回動アーム１７は、回転軸１６に対して相対回転自在になるように回転軸１６に連結されている。
【００２２】
この回動アーム１７の左右側壁部２６の中途部には、後述するように係合部材２８がロック部材２０に係合した際に、ロック部材２０のロックピン２１が当接する凹部３３が設けられている。また、回動アーム１７の下端部は、伸縮部材３４のシリンダチューブ３５の後端と連結しており、伸縮部材３４の伸縮により前後移動可能となっている。回動アーム１７の中途部、即ち、左右側壁部２６の間には係合部材２８が設けられている。
この係合部材２８の一端部は、左右側壁部２６に跨って設けられた枢支軸２９に枢支されており、係合部材２８の他端部には、ロック部材２０のロックピン２１に係合する係合部３０が設けられている。
【００２３】
また、係合部材２８の他端部は、係合部３０がロック部材２０のロックピン２１に係合する方向（回転軸１６側）に付勢するようになっており、例えば、引っ張りスプリング（図示略）を係合部材２８と回動アーム１７との間に設けるか、又は枢支軸２９にコイルスプリングを設けることによって係合部材２８は係合方向に付勢可能とされている。
この係合部材２８の他端部は、ボーデンワイヤ３１を介して操作レバー３２に連結されており、このボーデンワイヤ３１のアウタケーブル３１ａの上端部は、回動アーム１７の連結部２７に設けられた取付片４４に固定されており、アウタケーブル３１ａの下端部は、支持フレーム３に固定されている。
【００２４】
したがって、係合部材２８の係合部３０がロック部材２０のロックピン２１に係合して係合部材２８とロック部材２０とが係合している際に、この操作レバー３２を引くことによってボーデンワイヤ３１のインナーケーブル３１ｂは引っ張られ、これにより、係合部材２８の他端部は下方側に移動させられて、係合部材２８とロック部材２０との係合が解除するようになっている。
回転軸１６に固定されて回転軸１６と共回りするロック部材２０に、回動アーム１７に枢支された係合部材２８を係合すれば、ロック部材２０の他端部側（ロックピン３０側）を、係合部材２８を介して回動アーム１７と共に動かすことができるようになるので、このような係合状態で回動アーム１７を前後方向に揺動させれば、回転軸１６と回動アーム１７とは一体的に回動することになり、回転軸１６を回転させて背もたれ部材４を揺動させることができる。一方、操作レバー３２を引き、係合部材２８とロック部材２０との係合を解除すれば、ロック部材２０の他端部側は自由端となって、回転軸１６と回動アーム１７とは相対回動することになり、回転軸１６を回動アーム１７から切り離して動かすことができるようになる。そして、係合部材２８とロック部材２０との係合解除後、操作レバー３２を離せば、引っ張りスプリング力によって係合部材２８の係合部３０はロック部材２０のロックピン２１と係合する位置まで戻るようになっており、背もたれ部材４を揺動し回転軸１６を回転させてロックピン２１を係合解除した位置まで戻すことによって、自動的にロックピン２１と係合部３０とは係合するようになっている。
【００２５】
即ち、回転軸１６と回動アーム１７とを一体回動させる態様と、相対回動可能とさせる態様とを択一的にとらせる係脱手段１９は、ロック部材２０と係合部材２８とにより構成されている。この係脱手段１９を操作する操作レバー３２（係脱手段１９を操作する操作部）は、肘掛フレーム１３の後端外側部側に設けられている。
以上の構成によれば、ロック部材２０と係合部材２８とを係合している状態で、リクライニングレバー４２を引き上げると、伸縮部材３４の伸張力により回動アーム１７が後移動して回転軸１６が反時計方向に回転し、背もたれ部材４は回転軸１６の回転に伴って後傾斜状態から略垂直状態（図５に示す）になるまで起き上がるようになる。
【００２６】
また、図６に示すように、ロック部材２０と係合部材２８とを係合している状態で、リクライニングレバー４２を引き上げ、さらに、伸縮部材３４の伸張力に抗する力で背もたれ部材４を後方に押すと、シリンダロッド３６をシリンダチューブ３５内に没入させて回動アーム１７を前移動させることができ、背もたれ部材４を後側に倒すことができる。
一方、図７に示すように、操作レバー３２を引きロック部材２０と係合部材２８との係合を解除すると、背もたれ部材４を垂直状態からさらに前方に倒すことができ、これにより、背もたれ部材４を前方に倒して折り畳むことが可能となる。
【００２７】
したがって、椅子式マッサージ装置１をコンパクトにすることができ、持ち運びが便利であり椅子式マッサージ装置１の梱包サイズを小さくすることができる。また、ロック部材２０と係合部材２８との係合を解除した状態では、伸縮部材３４は伸縮不能となっているので、背もたれ部材４を畳み込んだ状態から背もたれ部材４を後方に倒せば、ロック部材２０と係合部材２８との係合を解除する前の位置で、係合部材２８をロック部材２０に自動的に係合させることができる。
図９〜１０は椅子式マッサージ装置のリクライニング機構の第２の実施の形態を示している。
【００２８】
回動アーム１７は、第１の実施の形態と同様に、左右側壁部２６とその左右側壁部２６を連結する連結部２７とを有しており、回動アーム１７の一端部は筒部４５を介して回転軸１６に挿嵌連結されており、これにより、回動アーム１７は、回転軸１６に対して相対回転可能となっている。
右側壁部２６Ｒの上下部は、左側壁部２６Ｌ側へ切り起こしされている。この切り起こしされた切起部４６の中央部には、上下に貫通する貫通孔４７が設けられている。
【００２９】
この上側切起部４６には、挿通孔４７に挿通されて取付具４８を介して上下方向移動自在に支持される係合ピン４９が設けられており、この係合ピン４９の下端部は、ボーデンワイヤ３１を介して操作レバー３２に連結されている。取付具４８は、スプリング５１と、係合ピン４９を径方向に貫通する支持ピン５２とを備えており、スプリング５１内に係合ピン４９を挿通してスプリング５１の上端部と支持ピン５２とを当接することによって、係合ピン４９は回動アーム１７に支持されると共に、係合ピン４９が回転軸１６側に勢付されている。
【００３０】
回転軸１６には、係合ピン４９が筒部４５の上下貫通孔５３を介して回転軸１６側に突出した際に、係合ピン４９の上端部と係合する係合孔５５が設けられており、これにより、係合ピン４９が回転軸１６の係合孔５５に係合したときは、回転軸１６と回動アーム１７とが一体的に周方向に回動するようになっている。
そして、操作レバー３２を引いて係合ピン５９と係合孔５５との係合を解除すると、回転軸１６と回動アーム１７とは相対回転自在となる。したがって、この係脱手段１９は、回転軸１６に設けられた係合孔５５と、回動アーム１７に移動自在に支持されると共に係合孔５５に係合する係合ピン４９とから構成されている。
【００３１】
回転軸１６と回動アーム１７との係合を解除すれば、背もたれ部材４を前方に倒して折り畳むことが可能となっている。係合ピン５９と係合孔５５との係合を解除した状態では、伸縮部材３４は伸縮不能となっているので、背もたれ部材４を畳み込んだ状態から背もたれ部材４を後方に倒せば、係合ピン５９と係合孔５５との係合を解除する元の位置（角度変更手段１８によって設定した角度）で、係合ピン５９を係合孔５５に自動的に係合させることができる。
【００３２】
【発明の効果】
本発明によれば、係脱手段により回転軸と回動アームとを一体回転させる態様にすることで背もたれ部材を角度変更手段でリクライニングすることができると共に、両者を相対回転可能な態様にすることにより、背もたれ部材を座席部材側に倒して折り畳むことができる。また、座席部材に対する回動アームの角度を角度変更手段によって維持した状態で、両者を相対回転可能な状態から一体回転させる状態に戻すことができ、これにより、背もたれ部材を座席部材側に倒して折り畳んだ状態から相対回転する前の状態に背もたれ部材を戻すことができる。
【図面の簡単な説明】
【図１】本発明の第１実施形態を示す椅子式マッサージ装置のリクライニング機構の側面内部図である。
【図２】椅子式マッサージ装置の概略斜視図である。
【図３】リクライニング機構の主要な部分の斜視図である。
【図４】図３とは異なる方向から見たリクライニング機構の主要な部分の斜視図である。
【図５】背もたれ部材を略垂直姿勢にしたときのリクライニング機構の側面図である。
【図６】背もたれ部材を後方姿勢にしたときのリクライニング機構の側面図である。
【図７】背もたれ部材を前方姿勢にして折り畳んだときのリクライニング機構の側面図である。
【図８】本発明の第２実施形態を示す椅子式マッサージ装置のリクライニング機構の主要な部分の側面内部図である。
【図９】図８のＸ−Ｘ断面図である。
【符号の説明】
１    椅子式マッサージ装置
２    座席部材
３    支持フレーム
４    背もたれ部材
１６  回転軸
１７  回動アーム
１８  角度変更手段
１９  係脱手段
２３  ロック部材
２８  係合部材
３２  リクライニングレバー
４２  操作レバー
４９  係合ピン
５５  係合孔
【図１】
2004357948.tif 000003
【図２】
2004357948.tif 000004
【図３】
2004357948.tif 000005
【図４】
2004357948.tif 000006
【図５】
2004357948.tif 000007
【図６】
2004357948.tif 000008
【図７】
2004357948.tif 000009
【図８】
2004357948.tif 000010
【図９】
2004357948.tif 000011